【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
コンピューティングデバイスが、第１共鳴周波数を有する第１アンテナを通じて信号を受信する工程であって、前記信号は、別のデバイスから前記コンピューティングデバイスへの無線通信に対応し、１つ以上の周波数においてピーク振幅を有する、前記工程と、
前記コンピューティングデバイスが、受信された前記信号における干渉に対応する周波数レスポンスシフトを符号化しているデータにアクセスする工程であって、前記周波数レスポンスシフトは、前記第１アンテナに結合された前記コンピューティングデバイスのモデムによって、検知及び符号化される、前記工程と、
前記コンピューティングデバイスが、前記データに符号化された前記周波数レスポンスシフトに少なくとも部分的に基づいて、前記コンピューティングデバイスの周囲の状態又は動作状態を判定する工程と、
前記コンピューティングデバイスが、前記コンピューティングデバイスの前記状態の前記判定に応じて、前記周波数レスポンスシフトに少なくとも部分的に基づいて前記第１アンテナから第２アンテナに役割を交換する工程であって、前記第２アンテナは、第２共鳴周波数を有し、前記第２共鳴周波数と前記１つ以上の周波数のうちの少なくとも１つとの差は、前記第１共鳴周波数と前記１つ以上の周波数のうちのいずれの周波数との差よりも小さい、前記工程と、を備える、方法。
【請求項２】
前記干渉の原因は、物体が前記コンピューティングデバイスに近接した状態になること又は物体が前記コンピューティングデバイスに接触した状態になることを含む、請求項１に記載の方法。
【請求項３】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項２に記載の方法。
【請求項４】
前記コンピューティングデバイスが、前記周囲の状態又は前記動作状態に応じて、前記コンピューティングデバイスの所定の機能を開始する工程をさらに備える、請求項１に記載の方法。
【請求項５】
前記所定の機能は、前記コンピューティングデバイスとの物理的な接触に応じて、前記コンピューティングデバイスの動作を再開することを含む、請求項４に記載の方法。
【請求項６】
前記無線通信は、実質的にグローバル・システム・フォー・モバイル・コミュニケーションズ（ＧＳＭ）の規格に従う、請求項１に記載の方法。
【請求項７】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項１に記載の方法。
【請求項８】
１つ以上の非一時的なコンピュータ可読記憶媒体であって、実行時に、
第１共鳴周波数を有する第１アンテナを通じて信号を受信することであって、前記信号は、別のデバイスからコンピューティングデバイスへの無線通信に対応し、１つ以上の周波数においてピーク振幅を有する、前記受信することと、
受信された前記信号における干渉に対応する周波数レスポンスシフトを符号化しているデータにアクセスすることであって、前記周波数レスポンスシフトは、前記第１アンテナに結合された前記コンピューティングデバイスのモデムによって、検知及び符号化される、前記アクセスすることと、
前記データに符号化された前記周波数レスポンスシフトに少なくとも部分的に基づいて、前記コンピューティングデバイスの周囲の状態又は動作状態を判定することと、
前記コンピューティングデバイスの前記状態の前記判定に応じて、前記周波数レスポンスシフトに少なくとも部分的に基づいて前記第１アンテナから第２アンテナに役割を交換することであって、前記第２アンテナは、第２共鳴周波数を有し、前記第２共鳴周波数と前記１つ以上の周波数のうちの少なくとも１つとの差は、前記第１共鳴周波数と前記１つ以上の周波数のうちのいずれの周波数との差よりも小さい、前記役割を交換することと、を行うように構成されている論理を具現する、媒体。
【請求項９】
前記干渉の原因は、物体が前記コンピューティングデバイスに近接した状態になること又は物体が前記コンピューティングデバイスに接触した状態になることを含む、請求項８に記載の媒体。
【請求項１０】
前記無線通信は、実質的にグローバル・システム・フォー・モバイル・コミュニケーションズ（ＧＳＭ）の規格に従う、請求項８に記載の媒体。
【請求項１１】
前記論理は、前記周囲の状態又は前記動作状態に応じて、前記デバイスの所定の機能を開始するようにさらに構成されている、請求項８に記載の媒体。
【請求項１２】
前記所定の機能は、前記デバイスとの物理的な接触に応じて、前記デバイスの動作を再開することを含む、請求項１１に記載の媒体。
【請求項１３】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項１１に記載の媒体。
【請求項１４】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項８に記載の媒体。
【請求項１５】
デバイスであって、
１つ以上のアンテナと、
前記アンテナのうちの１つ以上に結合されている、１つ以上の非一時的なコンピュータ可読記憶媒体と、を備え、該媒体は、実行時に、
第１共鳴周波数を有する第１アンテナを通じて信号を受信することであって、前記信号は、別のデバイスからの無線通信に対応し、１つ以上の周波数においてピーク振幅を有する、前記受信することと、
受信された前記信号における干渉に対応する周波数レスポンスシフトを符号化しているデータにアクセスすることであって、前記周波数レスポンスシフトは、前記アンテナのうちの第１アンテナに結合されたモデムによって、検知及び符号化される、前記アクセスすることと、
前記データに符号化された前記周波数レスポンスシフトに少なくとも部分的に基づいて、周囲の状態又は動作状態を判定することと、
前記状態の前記判定に応じて、前記周波数レスポンスシフトに少なくとも部分的に基づいて前記アンテナのうちの前記第１アンテナから前記アンテナのうちの第２アンテナに役割を交換することであって、前記第２アンテナは、第２共鳴周波数を有し、前記第２共鳴周波数と前記１つ以上の周波数のうちの少なくとも１つとの差は、前記第１共鳴周波数と前記１つ以上の周波数のうちのいずれの周波数との差よりも小さい、前記役割を交換することと、を行うように構成されている論理を具現する、デバイス。
【請求項１６】
前記干渉の原因は、物体が前記デバイスに近接した状態になること又は物体が前記デバイスに接触した状態になることを含む、請求項１５に記載のデバイス。
【請求項１７】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項１６に記載のデバイス。
【請求項１８】
前記論理は、前記周囲の状態又は前記動作状態に応じて、前記デバイスの所定の機能を開始するようにさらに構成されている、請求項１５に記載のデバイス。
【請求項１９】
前記所定の機能は、前記デバイスとの物理的な接触に応じて、前記デバイスの動作を再開することを含む、請求項１８に記載のデバイス。
【請求項２０】
前記無線通信は、実質的にグローバル・システム・フォー・モバイル・コミュニケーションズ（ＧＳＭ）の規格に従う、請求項１５に記載のデバイス。
【請求項２１】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項１５に記載のデバイス。